(57)【要約】【課題】多角度で変位させてスプレー範囲を変化させる噴霧フレーム構造を提供する。【解決手段】噴霧フレーム構造は、分岐管継手１、メイン支持杆２、調整杆３、散水器４及び三脚５を備える。メイン支持杆２は、中空円管状を呈して分岐管継手１の一端に枢着され、折り曲げ角度が頂端部分に形成される。調整杆３は、中空円管状を呈して分岐管継手１の他端に枢着される。散水器４は、メイン支持杆２の頂端に枢着される。三脚５には、調整杆３が挿設可能で上方に延びる組立孔が形成された枢着座１１を有する。枢着座１１の周縁には、少なくとも１つの枢着端と、枢着座５１の組立孔に設置されて調整杆に押し当てて固定する押付け部材５２と、枢着座５１の周縁の各枢着端に枢設された接続スリーブ５３と、各接続スリーブ５３に挿設された立杆５４と、各接続スリーブ５３及び枢着座５１の周縁に枢設された各枢着端の少なくとも１つの枢軸とを有する。【選択図】図１
0003189703.tif 000002
【実用新案登録請求の範囲】
【請求項１】
分岐管継手、メイン支持杆、調整杆、散水器及び三脚を備えた噴霧フレーム構造であって、
前記メイン支持杆は、中空円管状を呈して分岐管継手の一端に枢着され、折り曲げ角度が頂端部分に形成され、
前記調整杆は、中空円管状を呈して分岐管継手の他端に枢着され、
前記散水器は、メイン支持杆の頂端に枢着され、
前記三脚には、調整杆が挿設可能で上方に延びる組立孔が形成された枢着座を有し、枢着座の周縁には、少なくとも１つの枢着端と、枢着座の組立孔に設置されて調整杆に押し当てて固定する押付け部材と、枢着座の周縁の各枢着端に枢設された接続スリーブと、各接続スリーブに挿設された立杆と、各接続スリーブ及び枢着座の周縁に枢設された各枢着端の少なくとも１つの枢軸と、を有し、
前記分岐管継手は、枢着座を有し、上方へ延伸してメイン支持杆を挿設する枢着管と、下方へ延伸して外来の水道管が枢着連結された分岐管と、を一端に有し、枢着管と分岐管とには、互いに連通した流路が形成され、枢着座の他端には、調整杆を挿設する組立孔が形成され、組立孔の一面には、貫通孔が形成され、枢着座の一側面には、水量調整ボタンが配設され、水量調整ボタンは、ピボットパイプ及び分岐管に形成された流路に配設された制御バルブを有し、枢着座の組立孔に連通した貫通孔には、調整杆に押し付けて固定する押付け部材が取り付けられ、
前記散水器は、複数の噴水孔が形成された散水ヘッド部を有し、散水ヘッド部の周縁には、少なくとも１つの噴霧ヘッドを枢着連結させる少なくとも１つの枢着端と、散水ヘッド部の後端に位置する連結ベースと、を有し、連結ベースは、軸柱と、軸柱の外周を囲む環状壁と、を有し、連結ベースの周縁及び環状壁には、軸孔が形成され、軸孔には、調節装置が挿設され、連結ベースには、角度調整座が枢着連結され、角度調整座は、連結ベースに対応した連結部を有し、連結部は、軸柱を有し、軸柱には、内凸状の枢設孔が形成され、連結部の周縁には、連結ベースに配設された調節装置に対応した複数の位置決め孔が形成され、連結部の後端には、メイン支持杆の頂端を枢着連結する枢着部が設けられていることを特徴とする噴霧フレーム構造。
【請求項２】
前記散水器の連結ベースに設置した調節装置は、弾性部材と、弾性部材の頂端に挿設された位置決めピンと、から構成され、散水器の連結ベースと角度調整座との角度を調整する際、角度調整座の連結部に形成した複数の位置決め孔に調節装置を位置決めして様々な角度を得ることを特徴とする請求項１に記載の噴霧フレーム構造。
【請求項３】
前記調節装置の弾性部材は、ばね又は弾性片であり、
調節装置の位置決めピンの頂端は、円弧状に形成されていることを特徴とする請求項２に記載の噴霧フレーム構造。
【請求項４】
前記散水器の連結ベースに設けた環状壁には、密封リングが嵌合され、
角度調整座の連結部に設けた軸柱内には、散水器の連結ベースと角度調整座の連結部とを螺着した後に密着させる密封リングが配設されていることを特徴とする請求項１に記載の噴霧フレーム構造。
【請求項５】
前記メイン支持杆には、噴霧ヘッドを枢着連結させるための複数の余裕孔が形成されていることを特徴とする請求項１に記載の噴霧フレーム構造。
【考案の詳細な説明】
【技術分野】
【０００１】
本考案は、噴霧フレーム構造に関し、特に、多角度で変位させてスプレー範囲を変化させる噴霧フレーム構造に関する。
【背景技術】
【０００２】
従来の噴水器は、台座及び散水ヘッドを有する。台座は、地面に埋設された水道管と接続され、水道管を通った水が台座を介して散水ヘッドから芝生などへ散水され、噴水器を周囲へ向けて散水することができるように、散水ヘッドは台座に対して回転可能なように設計されている。散水ヘッドは、３６０度全方向へ継続的に散水を行うが、噴水器は、必要に応じてスプレー面積を変化させることができる。そのため、スプレー面積を大き目にする場合、散水ヘッドの仰角を小さめにする。スプレー面積を小さくする場合、散水ヘッドの仰角を大きめにする。従来技術の散水ヘッドは、その仰角を調整することが出来なかったり困難であったりし、さらには工具がなければ仰角を調整することができない場合もあるため、スプレー面積の必要に応じて散水ヘッドの仰角を変えることが困難であった。
【考案の概要】
【考案が解決しようとする課題】
【０００３】
本考案の目的は、多角度で変位させてスプレー範囲を変化させる噴霧フレーム構造を提供することにある。
【図面の簡単な説明】
【０００４】
【図１】本考案の一実施形態に係る噴霧フレーム構造を示す斜視図である。
【図２】本考案の一実施形態に係る噴霧フレーム構造を示す分解斜視図である。
【図３】本考案の一実施形態に係る噴霧フレーム構造の散水器を示す分解斜視図である。
【図４】本考案の一実施形態に係る噴霧フレーム構造を示す使用図である。
【図５】本考案の一実施形態に係る噴霧フレーム構造内を水が流れるときの状態を示す模式図である。
【図６】本考案の一実施形態に係る噴霧フレーム構造の散水器の角度を調整するときの状態を示す断面図である。
【図７】本考案の他の実施形態に係る噴霧フレーム構造を示す使用図である。
【図８】本考案の他の実施形態に係る噴霧フレーム構造を示す使用図である。
【考案を実施するための形態】
【０００５】
図１〜図３を参照する。図１〜図３に示すように、本考案の一実施形態に係る噴霧フレーム構造は、分岐管継手１と、分岐管継手１に枢設されたメイン支持杆２と、分岐管継手１に枢設された調整杆３と、メイン支持杆２の頂端に枢設された散水器４と、調整杆３の底端に枢設された三脚５と、を含む。
【０００６】
分岐管継手１は、上方へ延伸されてメイン支持杆２を挿設するピボットパイプ１２が一端に設けられた枢着座１１を有する。ピボットパイプ１２は、流路１２１と、下方へ延伸した分岐管１３と、を有する。分岐管１３には、流路１３１が形成されている。ピボットパイプ１２の流路１２１と分岐管１３の流路１３１とは連通されている。枢着座１１の他端には、調整杆３を挿設する組立孔１５が形成され、組立孔１５の一面には、貫通孔１５１が形成されている。枢着座１１の一側面には、水量調整ボタン１４が設けられている。水量調整ボタン１４は、ピボットパイプ１２及び分岐管１３に形成された流路１２１，１３１に設けられた制御バルブ１４１を有し、枢着座１１の組立孔１５と連通した貫通孔１５１には、押付け部材１６が取り付けられている。押付け部材１６は、枢着座１１に形成された２つの組立孔１５と連通した貫通孔１５１に取り付けられた枢着耳１６１と、２つの枢着耳１６１間に設けられたハンドルバー１６２と、を有する。ハンドルバー１６２の一端には、調整杆３に押し付けて固定する圧合面１６２１と、２つの枢着耳１６１とハンドルバー１６２とを枢着させる枢軸１６３と、を有する。
【０００７】
メイン支持杆２は、分岐管継手１の枢着座１１に形成されたピボットパイプ１２内に挿設される。メイン支持杆２は、ステンレス材、銅材、アルミニウム材又は鉄材からなり、頂端に折り曲げ角度が形成されている。
【０００８】
調整杆３は、分岐管継手１の枢着座１１に形成された組立孔１５内に挿設され、枢着座１１に設けられた押付け部材１６が調整杆３に押し付けられて固定され、全体噴霧フレーム構造の高さを調整する。調整杆３は、ステンレス材、銅材、アルミニウム材又は鉄材の鉄鋼材からなる。調整杆３の両端には、栓３１がそれぞれ挿設されている。
【０００９】
散水器４は、メイン支持杆２の頂端に枢設される。散水器４は、散水ヘッド部４１及び複数の噴水孔４１１を有する。散水ヘッド部４１の周縁には、少なくとも１つの噴霧ヘッド４２を枢着するために用いる少なくとも１つの枢設端４１２が設けられている。噴霧ヘッド４２は、一方の端部に少なくとも１つの噴水孔４２１が形成され、他方の端部には、散水ヘッド部４１に形成された枢設端４１２にロック端４２２が設けられ、散水ヘッド部４１の後端の連結ベース４３に位置した軸柱４３１を有する。軸柱４３１の外周には、環状壁４３２が周設され、連結ベース４３の周縁と環状壁４３２の周縁とには、調節装置４３５を挿設する軸孔４３４が形成されている。調節装置４３５は、弾性部材４３５１と、弾性部材４３５１の頂端に挿設された位置決めピン４３５２とから構成される。弾性部材４３５１は、ばね又は弾性片である。位置決めピン４３５２の頂端は、円弧状に形成され、連結ベース４３には角度調整座４４が枢着されている。角度調整座４４は、連結ベース４３に対応した連結部４４１を有する。連結部４４１は、軸柱４４１１を有し、内凸状の枢設孔４４１２が形成されている。角度調整座４４の周縁には、複数の位置決め孔４４１４が形成されている。複数の位置決め孔４４１４と、連結ベース４３が設置される調節装置４３５とは互いに対応し、連結部４４１の後端に設けられた枢着部４４２には、メイン支持杆２の頂端が枢着される組立孔４４２１が形成されている。散水器４の連結ベース４３と角度調整座４４の連結部４４１とは、軸スリーブ４４３及び螺設部材４４４を組み合わせて螺着固定される。特に、散水器４の連結ベース４３に設けた環状壁４３２には、密封リング４３３が嵌合される。角度調整座４４の連結部４４１に設けた軸柱４４１１内には、散水器４の連結ベース４３と角度調整座４４の連結部４４１とを螺着固定して密着させるために用いる密封リング４４１３が配設される。
【００１０】
三脚５は、調整杆３の底端に挿設される。三脚５は、上方に延伸して調整杆３を挿設させる組立孔５１１が形成された枢着座５１を有するとともに、枢着座５１の周縁には、少なくとも１つの枢着端５１２が設けられている。各枢着端５１２は、各接続スリーブ５３を展開したときに当接される少なくとも１つの位置決めリブ５１２１と、各枢着端５１２に設けられて枢設孔５１２２が形成され、枢着座５１に形成された組立孔５１１に調整杆３を押し当てて固定する押付け部材５２を有する。押付け部材５２は、枢着座５１に形成された２つの組立孔５１１に挿設する枢着耳５２１と、２つの枢着耳５２１間に設けられたハンドルバー５２２と、を有する。ハンドルバー５２２の一端は、調整杆３に押し付けて固定する圧合面５２２１と、２つの枢着耳５２１とハンドルバー５２２との間に枢着連結された枢軸５２３と、枢着座５１の周縁の各枢着端５１２に枢着されて連結された少なくとも１つの接続スリーブ５３と、を有する。各接続スリーブ５３は、枢着座５１の各枢着端５１２に枢着された接続端５３１を有する。接続端５３１及び枢着座５１の各枢着端５１２に設けた位置決めリブ５１２１を展開すると、当接状態となり、各接続端５３１の両側に設けて枢設孔５３２が形成され、各接続スリーブ５３に挿設する立杆５４を有する。立杆５４の一端には栓５４１が設けられ、各接続スリーブ５３に枢着された少なくとも１つの枢設孔５３２及び枢着座５１の周縁の各枢着端５１２に形成された枢設孔５１２２には、枢軸５５が連結されている。
【００１１】
図４〜図６を参照する。以下、図４〜図６に基づいて本考案の一実施形態に係る噴霧フレーム構造をさらに説明する。本実施形態の分岐管継手１に設けた水量調整ボタン１４により外部から供給される水量を制御し、メイン支持杆２を介して外来の水量を散水器４の散水ヘッド部４１へ流入させ、散水ヘッド部４１に設けた複数の噴水孔４１１と、散水ヘッド部４１の周縁に位置する少なくとも噴霧ヘッド４２により噴射する。分岐管継手１は、枢着座１１を有し、上方へ延伸されてメイン支持杆２を挿設するのに用いるピボットパイプ１２と、下方へ延伸されて外来の水道管６を枢着連結するために用いる分岐管１３と、が一端に設けられ、ピボットパイプ１２及び分岐管１３のそれぞれには、互いに連通した流路１２１，１３１が形成されている。枢着座１１の他端には、調整杆３を挿設するために用いる組立孔１５が形成されている。枢着座１１の一側面には、水量調整ボタン１４が設けられている。水量調整ボタン１４は、ピボットパイプ１２及び分岐管１３に形成された流路１２１，１３１に位置する制御バルブ１４１を有し、水量調整ボタン１４を左右へ回転させて制御バルブ１４１をオン／オフし、外部から供給される水の流入量を制御する（図５参照）。
【００１２】
本実施形態の散水器４の連結ベース４３に形成された軸孔４３４は、調節装置４３５を挿設するために用いる。調節装置４３５は、弾性部材４３５１と、弾性部材４３５１の頂端に挿設された位置決めピン４３５２（図示せず）と、から構成される。調節装置４３５及び角度調整座４４の連結部４４１に形成された複数の位置決め孔４４１４は、互いに対応して散水器４の連結ベース４３と角度調整座４４との角度調整を行う際、角度調整座４４の連結部４４１に形成された複数の位置決め孔４４１４へ調節装置４３５を位置決めさせ、多角度で位置決めすることでスプレー面積を変化させることができる（図６参照）。
【００１３】
図７及び図８を参照する。図７及び図８に示すように、本考案の他の実施形態に係る噴霧フレーム構造は、分岐管継手１と、分岐管継手１に枢着されたメイン支持杆２と、分岐管継手１に枢着された調整杆３と、メイン支持杆２の頂端に枢着された散水器４と、調整杆３の底端に枢着された三脚５と、を有する。メイン支持杆２には、複数の余裕孔２１が形成されている。複数の余裕孔２１には、各噴霧ヘッド４２が枢着連結され、分岐管継手１に設けた水量調整ボタン１４により、分岐管継手１に設けたピボットパイプ１２と分岐管１３との間の流路１２１，１３１の制御バルブ１４１を駆動し、分岐管１３に枢着された外来の水道管６内を流れる水量を制御し、外来の水量をメイン支持杆２を介して散水器４の散水ヘッド部４１へ流入させ、メイン支持杆２に設けた複数の噴霧ヘッド４２と、散水ヘッド部４１に形成した複数の噴水孔４１１と、散水ヘッド部４１の周縁に位置する少なくとも１つの噴霧ヘッド４２とにより同時に散水を行い、多角度で位置決めすることによりスプレー面積を変化させることができる。ここで分岐管継手１、散水器４及び三脚５の細部構造については、上述した分岐管継手１、散水器４及び三脚５の細部構造と同じであるため、ここでは詳述しない。
【符号の説明】
【００１４】
１        分岐管継手
２        メイン支持杆
３        調整杆
４        散水器
５        三脚
６        水道管
１１      枢着座
１２      ピボットパイプ
１３      分岐管
１４      水量調整ボタン
１５      組立孔
１６      押付け部材
２１      余裕孔
３１      栓
４１      散水ヘッド部
４２      噴霧ヘッド
４３      連結ベース
４４      角度調整座
５１      枢着座
５２      押付け部材
５３      接続スリーブ
５４      立杆
５５      枢軸
１２１    流路              
１３１    流路
１４１    制御バルブ
１５１    貫通孔
１６１    枢着耳
１６２    ハンドルバー
１６３    枢軸
４１１    噴水孔
４１２    枢設端
４２１    噴水孔
４２２    ロック端
４３１    軸柱
４３２    環状壁
４３３    密封リング
４３４    軸孔
４３５    調節装置
４４１    連結部
４４２    枢着部
４４３    軸スリーブ
４４４    螺設部材
５１１    組立孔
５１２    枢着端
５２１    枢着耳
５２２    ハンドルバー
５２３    枢軸
５３１    接続端
５３２    枢設孔
５４１    栓
１６２１  圧合面
４３５１  弾性部材
４３５２  位置決めピン
４４１１  軸柱
４４１２  枢設孔
４４１３  密封リング
４４１４  位置決め孔
４４２１  組立孔
５１２１  位置決めリブ
５１２２  枢設孔
５２２１  圧合面
【図１】
0003189703.tif 000003
【図２】
0003189703.tif 000004
【図３】
0003189703.tif 000005
【図４】
0003189703.tif 000006
【図５】
0003189703.tif 000007
【図６】
0003189703.tif 000008
【図７】
0003189703.tif 000009
【図８】
0003189703.tif 000010